(57)【要約】      （修正有）【課題】軍手をしたままで、簡単な作業で足場用ネットを足場建地に取り付けることができ、しかも、簡単な作業で足場用ネットを足場建地から取り外すことができる足場用ネット取り付け装置を提供する。【解決手段】所定長さ、所定太さの丸ゴムＭの一方の端部に、足場用ネット部材のはと目穴に対する丸ゴムＭの挿通を補助する挿通補助部材Ｓを連結してあり、他方の端部に、丸ゴムＭを固定する固定部材Ｋを連結してあり、挿通補助部材Ｓは、丸ゴムＭを挿通する挿通穴を設けてあるとともに、テーパー状尖鋭部Ｓ２を設けてあり、固定部材Ｋは、丸ゴムＭを挿入する挿入穴を有する挿入部Ｋ１と、丸ゴムＭの径方向への圧入及び固定を行わせるべく折り返し状に形成された折り返し状部Ｋ２とを設ける。【選択図】図１
0003160828.tif 000002
【実用新案登録請求の範囲】
【請求項１】
所定長さ、所定太さの丸ゴム（Ｍ）の一方の端部に、足場用ネット部材（Ｎ）の開口部（Ｎ１）に対する丸ゴム（Ｍ）の挿通を補助する挿通補助部材（Ｓ）を連結してあり、他方の端部に、丸ゴム（Ｍ）を固定する固定部材（Ｋ）を連結してあり、挿通補助部材（Ｓ）は、丸ゴム（Ｍ）を挿通する挿通穴を設けてあるとともに、テーパー状尖鋭部（Ｓ２）を設けてあり、固定部材（Ｋ）は、丸ゴム（Ｍ）を挿入する挿入穴を有する丸ゴム挿入部（Ｋ１）と、丸ゴム（Ｍ）の径方向への圧入及び固定を行わせるべく折り返し状に形成された折り返し状部（Ｋ２）を有してなることを特徴とする足場用ネット取り付け装置。
【請求項２】
折り返し状部（Ｋ２）は、丸ゴム（Ｍ）を径方向の圧迫状態で保持するものであり、しかも、入り口部に、丸ゴム（Ｍ）を変形させた状態においてのみ挿脱を許容する突起部材（Ｋ３）を有していることを特徴とする請求項１に記載の足場用ネット取り付け装置。
【請求項３】
複数の足場建地（Ａ）により足場板が複数段に支持されてなる仮設足場であって、
足場建地（Ａ）に対して、請求項１又は請求項２の足場用ネット取り付け装置によって、足場用ネット部材（Ｎ）が連結されてあることを特徴とする仮設足場。
【考案の詳細な説明】
【技術分野】
【０００１】
本考案は、仮設足場からの墜落事故、工具、部品等の落下に起因する事故等を防止するための目的で足場用ネットを取り付けるための足場用ネット取り付け装置、及びこの足場用ネット取り付け装置を用いて足場用ネットが取り付けられてなる仮設足場に関する。
【背景技術】
【０００２】
従来から、仮設足場が各種の建築現場で組み立てられ、使用されている。
このような仮設足場は、所定間隔毎に足場建地を立設し、足場建地間に足場板を支持し、必要に応じて交さ筋交いを設けて組み立て強度を高めた構成である。
【０００３】
例えば、特許文献１に記載されたように、１対の足場建地を一体的に連結してなる建て枠を互いに対向配置し、これら建て枠同士を足場板で連結し、しかも、建て枠同士の間に手すりを水平に架け渡してなる構成の仮設足場が提案されている。
このような仮設足場を採用すれば、足場板に乗った状態で必要な建築作業を行うことができ、しかも、手すりによって作業者の安全性を向上させることができる。
また、足場建地に対して足場用ネットを取り付ければ、仮設足場からの工具、部品等の落下を防止することができ、しかも、外部からの落下物が作業者に当たってしまうことを防止することができ、安全性を高めることができる。そして、このように足場用ネットを取り付けるに当たって、従来は、単なる紐を用いて足場用ネットを足場建地に縛り付ける作業を行っていた。
しかし、この場合には、紐を用いて縛り付けるという作業を行う必要があり、この作業は、繊細な手先作業であるから、軍手を装着したままでは、不十分な縛り付け作業しかできない可能性が高く、また、作業者によっては、若しくは、紐の縛り付けのための余剰長さによっては、縛り付け作業を行うことができなくなってしまう。
このような不都合を解消しようとすれば、軍手を外してから縛り付け作業を行わなければならず、作業性が悪くなってしまう。
また、仮設足場を解体する場合には、全ての紐を解いて足場用ネットを取り外すことが必要になり、この点からも作業性が悪くなってしまう。
【先行技術文献】
【特許文献】
【０００４】
【特許文献１】特開２００８−１５７０２２号公報
【考案の概要】
【考案が解決しようとする課題】
【０００５】
本考案が解決しようとする課題は、次の通りである。
○本考案が解決しようとする第１課題
本考案が解決しようとする第１課題は、軍手をしたままでも簡単に足場用ネットを足場建地に取り付けることができる足場用ネット取り付け装置を提供することである。
○本考案が解決しようとする第２課題
本考案が解決しようとする第２課題は、簡単な作業で足場用ネットを足場建地に取り付けることができ、しかも、簡単な作業で足場用ネットを足場建地から取り外すことができ、かつ特徴的な音によって取り付け完了、取り外し完了を確認することができる足場用ネット取り付け装置を提供することである。
○本考案が解決しようとする第３課題
本考案が解決しようとする第３課題は、足場用ネット取り付け装置を用いて足場用ネットが足場建地に装着されてなる仮設足場を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下、用語の説明を行うこととする。
＜用語の説明＞
○仮設足場とは、高い所で工事をする時、足がかりのため、仮に丸太、鉄材等で組み立てられる構造物をいう。
○足場建地とは、仮設足場に使われる柱部材をいい、丸管部材を主体とするもの、円柱部材を主体とするもの等が例示できる。
○足場板とは、足場建地により支持される板部材であり、高い所で作業する作業者の足場となるものである。
○丸ゴムとは、１本以上の糸ゴムを芯とし、側糸でくるむように編んだものであり、ゴムロープとよばれることもある。また、芯となる糸ゴムを包囲する部分を皮糸とよぶこともある。
【０００７】
本考案者は、上記の従来技術が有する各種の問題点に鑑み、鋭意研究を重ねて、本考案を完成した。
本考案者が、本考案が解決しようとする課題の重要性に気付く契機となったのは、従来技術の問題点を生じる最大の原因が、軍手をしたままでも簡単に足場用ネットを足場建地に取り付けることができるようにする必要性に気付いていなかったことである。
本考案者が、本考案が解決しようとする課題の重要性に気付く契機となったのは、従来技術の問題点を生じる最大の原因が、軍手をしたままでも簡単に足場用ネットを足場建地に取り付けて仮設足場を完成させることができるようにする必要性に気付いていなかったことである。
課題を解決するための手段は、本願の実用新案登録請求の範囲の各請求項に記載の考案であり、その具体的な解決手段は、以下の通りである。
【０００８】
○第１の考案（請求項１に記載の考案）
上記の課題を解決するための第１の考案（請求項１に記載の考案）は、
所定長さ、所定太さの丸ゴムの一方の端部に、足場用ネット部材の開口部に対する丸ゴムの挿通を補助する挿通補助部材を連結してあり、他方の端部に、丸ゴムを固定する固定部材を連結してあり、挿通補助部材は、丸ゴムを挿通する挿通穴を設けてあるとともに、テーパー状尖鋭部を設けてあり、固定部材は、丸ゴムを挿入する挿入穴を有する挿入部と、丸ゴムの径方向への圧入及び固定を行わせるべく折り返し状に形成された折り返し状部を有してなることを特徴とする足場用ネット取り付け装置である。
○第２の考案（請求項２に記載の考案）
上記の課題を解決するための第２の考案（請求項２に記載の考案）は、
折り返し状部は、丸ゴムを径方向の圧迫状態で保持するものであり、しかも、入り口部に、丸ゴムを変形させた状態においてのみ挿脱を許容する突起部材を有していることを特徴とする請求項１に記載の足場用ネット取り付け装置である。
○第３の考案（請求項３に記載の考案）
上記の課題を解決するための第３の考案（請求項３に記載の考案）は、
複数の足場建地により足場板が複数段に支持されてなる仮設足場であって、
足場建地に対して、請求項１又は請求項２の足場用ネット取り付け装置によって、足場用ネット部材が連結されてあることを特徴とする仮設足場である。
【考案の効果】
【０００９】
○第１の考案の効果
第１の考案の足場用ネット取り付け装置によれば、
所定長さ、所定太さの丸ゴムの一方の端部に、足場用ネット部材の開口部に対する丸ゴムの挿通を補助する挿通補助部材を連結してあり、他方の端部に、丸ゴムを固定する固定部材を連結してあり、挿通補助部材は、丸ゴムを挿通する挿通穴を設けてあるとともに、テーパー状尖鋭部を設けてあり、固定部材は、丸ゴムを挿入する挿入穴を有する挿入部と、丸ゴムの径方向への圧入及び固定を行わせるべく折り返し状に形成された折り返し状部を有してなる
という特徴的な構成要件によって、
軍手をしたままでも簡単に足場用ネットを足場建地に取り付けることができる。
すなわち、本考案が解決しようとする第１課題を達成することができ、当業者予測不可能な顕著な効果を奏することができた。
○第２の考案の効果
第２の考案の足場用ネット取り付け装置によれば、
折り返し状部は、丸ゴムを径方向の圧迫状態で保持するものであり、しかも、入り口部に、丸ゴムを変形させた状態においてのみ挿脱を許容する突起部材を有している
という特徴的な構成要件によって、
簡単な作業で足場用ネットを足場建地に取り付けることができ、しかも、簡単な作業で足場用ネットを足場建地から取り外すことができる。そして、突起部材を乗り越える場合に、丸ゴムが強制的に変形された状態から瞬時に復元することに起因して、大きな特徴的な音を発生させることができ、この音によって、丸ゴムが装着されたこと、丸ゴムが取り外されたことを確認することができる。
すなわち、本考案が解決しようとする第２課題を達成することができ、当業者予測不可能な顕著な効果を奏することができた。
○第３の考案の効果
第３の考案の仮設足場によれば、
複数の足場建地により足場板が複数段に支持されてなる仮設足場であって、
足場建地に対して、請求項１又は請求項２の足場用ネット取り付け装置によって、足場用ネット部材が連結されてある
という特徴的な構成要件によって、
軍手をしたままでも簡単に足場用ネットを足場建地に取り付けることができ、ひいては、足場用ネットが足場建地に取り付けられてなる仮設足場を簡単に組み立てることができる。
すなわち、本考案が解決しようとする第３課題を達成することができ、当業者予測不可能な顕著な効果を奏することができた。
【図面の簡単な説明】
【００１０】
【図１】本考案の足場用ネット取り付け装置の一実施形態を概略的に示す側面図である。
【図２】丸ゴムをネット部材のはと目穴に挿通する準備が完了した状態を示す概略図である。
【図３】本考案の足場用ネット取り付け装置を足場建地に巻きかけ、さらにネット部材のはと目穴に挿通した状態を示す概略図である。
【図４】丸ゴムを固定部材に固定する準備が完了した状態を示す概略図である。
【図５】丸ゴムを固定部材に固定した状態を示す概略図である。
【図６】図１の足場用ネット取り付け装置を用いて足場用ネットが足場建地に取り付けられてなる仮設足場の一実施形態の主要部を示す概略図である。
【考案を実施するための形態】
【００１１】
以下、添付図面を参照して、本考案の足場用ネット取り付け装置、及び仮設足場の実施の形態を詳細に説明する。
第１の考案の足場用ネット取り付け装置は、
所定長さ、所定太さの丸ゴムの一方の端部に、足場用ネット部材の開口部に対する丸ゴムの挿通を補助する挿通補助部材を連結してあり、他方の端部に、丸ゴムを固定する固定部材を連結してあり、挿通補助部材は、丸ゴムを挿通する挿通穴を設けてあるとともに、テーパー状尖鋭部を設けてあり、固定部材は、丸ゴムを挿入する挿入穴を有する挿入部と、丸ゴムの径方向への圧入及び固定を行わせるべく折り返し状に形成された折り返し状部を有してなることを特徴としている。
第２の考案の足場用ネット取り付け装置は、
折り返し状部は、丸ゴムを径方向の圧迫状態で保持するものであり、しかも、入り口部に、丸ゴムを変形させた状態においてのみ挿脱を許容する突起部材を有していることを特徴としている。
第３の考案の仮設足場は、
複数の足場建地により足場板が複数段に支持されてなる仮設足場であって、
足場建地に対して、請求項１又は請求項２の足場用ネット取り付け装置によって、足場用ネット部材が連結されてあることを特徴としている。
【００１２】
［図１］は、本考案の足場用ネット取り付け装置の一実施形態を概略的に示す側面図である。
［図２］は、丸ゴムの圧入時、固定時の状態を示す概略図である。
［図３］は、本考案の足場用ネット取り付け装置を足場建地に巻きかけ、さらに足場用ネット部材のはと目穴に挿通した状態を示す概略図である。
［図４］は、丸ゴムを固定部材に固定する準備が完了した状態を示す概略図である。
［図５］は、丸ゴムを固定部材に固定した状態を示す概略図である。
［図６］は、図１の足場用ネット取り付け装置を用いて足場用ネットが取り付けられた仮設足場の一実施形態の主要部を示す概略図である。
この足場用ネット取り付け装置は、所定太さ、かつ所定長さを有する丸ゴムＭと、丸ゴムＭの一方の端部に装着された挿通補助部材Ｓと、丸ゴムＭの他方の端部に装着された固定部材Ｋとを有している。
丸ゴムＭの太さは、足場用ネット（足場用ネット部材）が外部から受ける力を充分に受け止めることができる強度を有する太さに設定される。
丸ゴムＭの長さは、足場建地の外径、足場用ネットのはと目穴と足場建地との間の許容される間隔等を考慮して、足場用ネットの取り付けに充分な長さに設定される。
丸ゴムＭの皮糸は、固定部材Ｋに固定された状態で充分な摩擦抵抗を実現できるとともに、摩擦に対する耐性が高い材質の側糸で構成されていることが好ましい。なお、このような丸ゴムＭは従来公知であるから、詳細な説明を省略する。
挿通補助部材Ｓは、丸ゴムＭを挿通可能な中心穴を有する筒状体Ｓ１を主体としており、この筒状体Ｓ１の一方の端部をテーパー状に切除することによって尖鋭部Ｓ２を構成している。そして、この筒状体Ｓ１の他方の端部寄りの所定範囲にわたって、丸ゴムＭの外径とほぼ等しいスリットＳ３を形成することによって、丸ゴムＭがスリットＳ３を通して出し入れ可能とされている。また、筒状体Ｓ１のうち、尖鋭部Ｓ２とスリットＳ３との間に位置する筒状部分の所定位置から、ステープル金具Ｓ４を圧入することによって、筒状体Ｓ１と丸ゴムＭとを一体的に連結してある。
なお、このような構成の挿通補助部材Ｓは、筒状体Ｓ１の一方の端部を手作業等によって切除することによって構成されていてもよいが、合成樹脂による一体成形によって構成されていてもよい。
固定部材Ｋは、丸ゴムＭを挿入可能な盲穴（丸ゴムを挿入する挿入穴）を有する基部部材（丸ゴム挿入部）Ｋ１と、基部部材Ｋ１の盲部からその延長方向に延び、さらに折り返し状に延びる折り返し状部Ｋ２とを有している。そして、基部部材Ｋ１の所定位置から、ステープル金具Ｋ４を圧入することによって、基部部材Ｋ１と丸ゴムＭとを一体的に連結してある。
折り返し状に延びる部分は、基部部材Ｋ１の盲部から丸ゴムＭの外径とほぼ等しい距離だけ手前までの範囲に形成されることによって、丸ゴムＭの径方向への出し入れを可能としている。好ましくは、折り返し状に延びる部分は、基部部材Ｋ１の盲部から丸ゴムＭの外径より若干短い距離だけ手前までの範囲に形成されることによって、丸ゴムＭの径方向への軽い圧入、圧出を可能としている。
折り返し状部Ｋ２の内幅は、丸ゴムＭの外径より若干短い幅に設定されており、これによって、丸ゴムＭの径方向への強い圧入、圧入状態保持、圧出を可能としている。また、折り返し状に延びる部分の先端部に対応する位置（基部部材Ｋ１の盲部からその延長方向に延びる部分の内側部分における対応位置であってもよいが、折り返し状に延びる部分の先端部に近い内側部分であってもよい）には、内向きに突出する突部（突起部材）Ｋ３が一体に形成されており、丸ゴムＭを折り返し状部Ｋ２に強く圧入し、圧出するに当たって、丸ゴムＭが大きく変形する状態から変形前の状態に直ちに復元することに伴って、大きな特徴的な音を生じさせることができる。したがって、この音によって、丸ゴムＭを折り返し状部Ｋ２に圧入したこと、折り返し状部Ｋ２から圧出したことを確認することができる。
なお、このような構成の固定部材Ｋは、任意の材質の基体を出発点として、手作業等によって基部部材Ｋ１及び折り返し状部Ｋ２を成形することによって構成されてもよいが、合成樹脂による一体成形によって構成されていてもよい。
【００１３】
上記の構成を有する足場用ネット取り付け装置を用いて足場用ネットを足場建地に取り付ける場合の作用を図２から図６を参照して説明する。
先ず、スリットＳ３を通して丸ゴムＭを挿通補助部材Ｓに収容し、挿通補助部材Ｓを丸ゴムＭの延長上に位置させる（図２参照）。
次いで丸ゴムＭを足場建地Ａに回しかけた後、挿通補助部材Ｓを足場用ネット（足場用ネット部材）Ｎのはと目穴Ｎ１に挿通することにより、足場用ネットＮと足場建地Ａを連結した状態にする（図３参照）。ただし、この状態においては、丸ゴムＭと固定部材Ｋとの連結が達成できていない。
次いで、スリットＳ３を通して丸ゴムＭを挿通補助部材Ｓから取り出すことによって、丸ゴムＭと挿通補助部材ＳとがＴ字形をなす状態にする（図４参照）。このようにすることによって、挿通補助部材Ｓを持って丸ゴムＭを引っ張るような作業を行い易くすることができる。
その後、固定部材Ｋのうち、基部部材Ｋ１と折り返し状部Ｋ２の折り返し状に延びる部分との間隙を通して丸ゴムＭを径方向に軽く圧入し、次いで、折り返し状部Ｋ２の内奥部に向かって強く圧入することによって、突部Ｋ３を通過させ、折り返し状部Ｋ２の内奥部に押し込むことによって、丸ゴムＭを保持する（図５参照）。この場合には、丸ゴムＭが突部Ｋ３を通過することに伴って大きな特徴的な音が生じるので、この音によって、丸ゴムＭの圧入が完了し、確実に保持される状態になったことを確認することができる。
この状態において、丸ゴムＭは、折り返し状部Ｋ２の内奥部において、長手方向には比較的容易にスライドすることができる。しかし、丸ゴムＭと挿通補助部材ＳとがＴ字形をなしているので、スライドの終期には、挿通補助部材Ｓが抜け止め部材としての機能を達成し、丸ゴムＭが折り返し状部Ｋ２の内奥部に保持された状態を確保することができる。
以上の一連の作業を行うことによって、足場用ネットＮのはと目部分を足場建地Ａに取り付けることができる（図６参照）。
また、足場用ネットＮの複数のはと目部分に対して以上の一連の作業を行うことによって、足場用ネットＮを足場建地Ａに確実に取り付けることができる。換言すれば、足場用ネットＮが取り付けられてなる仮設足場を完成させることができる。
このようにして、足場用ネットＮを足場建地Ａに取り付ければ、足場用ネットＮによって、工具、部品等が足場から落下するおそれを大幅に低減することができるだけでなく、他の箇所からの落下物が作業者に当たって怪我をしてしまうという危険性も大幅に低減することができる。
足場用ネットＮを足場建地Ａから取り外す場合には、上記と逆の作業を行えばよい。この場合にも、丸ゴムＭが突部Ｋ３を通過することに伴って生じる大きな特徴的な音によって、丸ゴムＭの圧出が行われたこと（確実な保持が解除されたこと）を確認することができる。
以上の一連の作業において、紐を縛るような作業、紐を解くような作業が全く必要なく、単に、丸ゴムＭを径方向に圧入し、又は圧出するだけでよいから、作業者が軍手等を装着したままの状態で足場建地Ａに対する足場用ネットＮの取り付け、取り外しを達成することができる。
もちろん、丸ゴムを固定部材Ｋに圧入するという簡単な作業で足場用ネットを取り付けることができ、しかも、丸ゴムＭを固定部材Ｋから圧出するという簡単な作業で足場用ネットを取り外すことができる。
【符号の説明】
【００１４】
Ａ    足場建地
Ｋ    固定部材
Ｋ１  基部部材
Ｋ２  折り返し状部
Ｋ３  突部
Ｋ４  ステープル金具
Ｍ    丸ゴム
Ｎ    足場用ネット
Ｎ１  はと目穴
Ｓ    挿通補助部材
Ｓ１  筒状体
Ｓ２  尖鋭部
Ｓ３  スリット
Ｓ４  ステープル金具
【図１】
0003160828.tif 000003
【図２】
0003160828.tif 000004
【図３】
0003160828.tif 000005
【図４】
0003160828.tif 000006
【図５】
0003160828.tif 000007
【図６】
0003160828.tif 000008